(57)【要約】【課題】  炉内の燃焼物が従来よりも速く中心部まで燃え進む焼却炉を提供しようとするもの。【解決手段】  収容された廃棄物３を焼却処理する焼却炉であって、炉側面の内壁９から炉内に向かって外側エア10が噴射されるとともに、廃棄物３が収容された炉内の中心部から外周側に向けて内側エア11が噴射されるようにした。この焼却炉は廃棄物の焼却処理のために炉側面の内壁から炉内に向かって外側エアが噴射されるが、廃棄物が収容された炉内の中心部から外周側に向けても内側エアが噴射されるようにしたので、収容された廃棄物の内部からもエア（酸素）が供給されることとなる。したがって外側から燃えてきた燃焼物は、炉内の中心部から外周側に向けて内側エアが噴射されることにより内部からエア（酸素）が供給される未燃焼の廃棄物に対して燃え移り易いものである。【選択図】  図３
2005164163.tif 000002
【特許請求の範囲】
【請求項１】
収容された廃棄物３を焼却処理する焼却炉であって、炉側面の内壁９から炉内に向かって外側エア10が噴射されるとともに、廃棄物３が収容された炉内の中心部から外周側に向けて内側エア11が噴射されるようにしたことを特徴とする焼却炉。
【請求項２】
前記内側エア11は炉内の中心部に設置された略鉛直方向のエア噴出管12から噴射されると共に、前記エア噴出管12の頂部にはフランジ部13を有する請求項１記載の焼却炉。
【発明の詳細な説明】
【技術分野】
【０００１】
この発明は、ゴミその他の廃棄物を焼却処理する焼却炉に関するものである。
【背景技術】
【０００２】
従来より、ゴミその他の廃棄物を焼却処理するための焼却炉が知られている（例えば、非特許文献１参照）。
【０００３】
この焼却炉は、炉内壁51から炉中心に向かってエアairが噴射されるようにしており、これにより炉内燃焼物52へと酸素を供給するものである。廃棄物は、投入扉53を開けて収容する（図５参照）。
【０００４】
しかし、炉内の燃焼物は外側から順に燃えていくのであるが、なかなか中心部まで燃え進まないという問題があった。
【非特許文献１】巴産業株式会社ホームページ、“焼却炉”、[online]、[2003/11/28検索]、インターネット＜ＵＲＬ：http://www.tomoe-sangyo.com/805.htm＞
【発明の開示】
【発明が解決しようとする課題】
【０００５】
そこでこの発明は、炉内の燃焼物が従来よりも速く中心部まで燃え進む焼却炉を提供しようとするものである。
【課題を解決するための手段】
【０００６】
前記課題を解決するためこの発明では次のような技術的手段を講じている。
(１)この発明の焼却炉は、収容された廃棄物を焼却処理する焼却炉であって、炉側面の内壁から炉内に向かって外側エアが噴射されるとともに、廃棄物が収容された炉内の中心部から外周側に向けて内側エアが噴射されるようにしたことを特徴とする。
【０００７】
この焼却炉は廃棄物の焼却処理のために炉側面の内壁から炉内に向かって外側エアが噴射されるが、廃棄物が収容された炉内の中心部から外周側に向けても内側エアが噴射されるようにしたので、収容された廃棄物の内部からもエア（酸素）が供給されることとなる。
【０００８】
したがって外側から燃えてきた燃焼物は、炉内の中心部から外周側に向けて内側エアが噴射されることにより内部からエア（酸素）が供給される未燃焼の廃棄物に対して燃え移り易いものである。
【０００９】
(２) 前記内側エアは炉内の中心部に設置された略鉛直方向のエア噴出管から噴射されると共に、前記エア噴出管の頂部にはフランジ部を有することとしてもよい。
【００１０】
このように構成すると、フランジ部の上部などに存する燃焼物の熱がフランジ部を介してエア噴出管へと伝熱し、これによりエア噴出管と同時に昇温され高温となったエア（酸素）が内側エアとして噴射されることとなり、前記高温エア（酸素）により廃棄物の燃焼効率を更に向上させることができる。
【発明の効果】
【００１１】
この発明は上述のような構成であり、次の効果を有する。
【００１２】
外側から燃えてきた燃焼物は、炉内の中心部から外周側に向けて内側エアが噴射されることにより内部からエア（酸素）が供給される未燃焼の廃棄物に対して燃え移り易いものであるので、炉内の燃焼物が従来よりも速く中心部まで燃え進む焼却炉を提供することができる。
【発明を実施するための最良の形態】
【００１３】
以下、この発明の実施の形態を図面を参照して説明する。
【００１４】
図１乃至図４に示すように、この実施形態の焼却炉の炉体１（図３及び図４参照）は耐火材により形成され、投入扉２から収容された廃棄物３を、焼却処理するようにしている。廃棄物３から発生した未燃焼ガスは、オイルバーナー４を用いて再燃焼させる。前記投入扉２は密閉型投入ボックスとしており、投入用レバー５により開閉操作をする。
【００１５】
また、押込みファン（電動送風機）６により上下２箇所の環状通風体７を介し炉体１の穿孔８を通じて炉側面の内壁９から炉内に向かって複数箇所から外側エア10が噴射されるようにしている。図４に示すように、前記外側エア10は炉中心に向けてではなく中心から約１〜６０°の角度Ｒ（図４参照）をずらした方向に向けて噴射されるように設定しており、炉内で回転して渦を巻くように挙動する。ここで前記環状通風体７は炉体１の外側に設置したが、炉体１内に形成してもよいし炉体１の内側に設置してもよい。
【００１６】
さらに、廃棄物３が収容された炉内の中心部から外周側の周方向に向けて、押込みファン（電動送風機）６により内側エア11が噴射されるようにしている。前記内側エア11は炉内の中心部の下方に立設・設置された略鉛直方向のエア噴出管12から周方向に向けて噴射されると共に、前記エア噴出管12の頂部には円環状のフランジ部13を有することとしている。
【００１７】
燃焼後には電動送風機14により誘引し、サイクロン集塵器15を介して煙突16から排気するようにしている。焼却処理が終了して焼却炉が冷却した後には、灰出扉17から残った灰を取り出す。
【００１８】
次に、この実施形態の焼却炉の使用状態を説明する。
【００１９】
この焼却炉は廃棄物３の焼却処理のために炉側面の内壁９から炉内に向かって外側エア10が噴射されるが、廃棄物３が収容された炉内の中心部から外周側に向けても内側エア11が噴射されるようにしたので、収容された廃棄物３の内部からもエア（酸素）が供給されることとなる。
【００２０】
したがって外側から燃えてきた燃焼物は、炉内の中心部から外周側に向けて内側エア11が噴射されることにより内部からエア（酸素）が供給される未燃焼の廃棄物３に対して燃え移り易いものであり、炉内の燃焼物が従来よりも速く中心部まで燃え進むという利点がある。
【００２１】
また、前記内側エア11は炉内の中心部に設置された略鉛直方向のエア噴出管12から噴射されると共に前記エア噴出管12の頂部にはフランジ部13を有することとしており、フランジ部13の上部などに存する燃焼物の熱がフランジ部13を介してエア噴出管12へと伝熱し、これによりエア噴出管12と同時に昇温され高温となったエア（酸素）が内側エア11として噴射されることとなり、前記高温エア（酸素）により廃棄物３の燃焼効率を更に向上させることができるという利点がある。
【００２２】
さらに、前記外側エア10は炉中心に向けてではなく中心から約１〜６０°の角度Ｒをずらした方向に向けて噴射されるように設定しており、炉内で回転して渦を巻くように挙動し、炎が回転してうねるような状態となり勢いよく燃えるものとなり、処理時間を短縮できる。また燃焼物から発生する可燃性の未燃焼ガスも渦を巻くようにうねって攪拌されエア（酸素）とよく混合されることとなり完全に燃焼させることができる。よって、煙とか臭いが出ないようにすることができる。ここで前記角度Ｒを約１〜６０°に設定すると、炎とエアの混合がし易いものとなるという利点がある。
【産業上の利用可能性】
【００２３】
焼却処理時間を短縮することができ、種々の焼却用途に適用することができる。
【図面の簡単な説明】
【００２４】
【図１】この発明の焼却炉の実施形態を説明する平面図。
【図２】図１の焼却炉の構造を説明する正面図。
【図３】図１の焼却炉の構造を説明する側断面図。
【図４】図１の焼却炉の構造を説明する横断面図。
【図５】従来の焼却炉を説明する模式図。
【符号の説明】
【００２５】
３  廃棄物
９  内壁
10  外側エア
11  内側エア
12  エア噴出管
13  フランジ部
【図１】
2005164163.tif 000003
【図２】
2005164163.tif 000004
【図３】
2005164163.tif 000005
【図４】
2005164163.tif 000006
【図５】
2005164163.tif 000007